(57)【要約】【課題】圧電ピックアップの出力に弦楽器の胴の共鳴を忠実に再現するような効果を付与する弦楽器および効果装置を提供すること。【解決手段】入力されるデジタル信号は、カットオフ周波数が約３ｋＨｚのローパスフィルタ５０によりフィルタされ、６．５ｋＨｚのサンプリング周波数でＦＩＲフィルタ４５により周波数特性が変更される。また、入力されるデジタル信号は、カットオフ周波数が約５ｋＨｚのハイパスフィルタ６０によりフィルタされた後、レベル調整され、ＦＩＲフィルタ４５の出力がレベル調整された信号と加算される。このことによりアコースティックギターなどの胴鳴りを効率よく忠実に再現することができる。【選択図】        図５
2005024997.tif 000002
【特許請求の範囲】
【請求項１】
弦楽器の弦振動を電気信号に変換する圧電ピックアップと、
その圧電ピックアップにより変換された電気信号を所定のサンプリング周期でサンプリングし、デジタル信号に変換する変換器と、
その変換器により変換されたデジタル信号が通過するＦＩＲフィルタとを備えたことを特徴とする弦楽器。
【請求項２】
前記ＦＩＲフィルタの係数は、弦楽器の胴のインパルス応答により得られたものである請求項１に記載の弦楽器。
【請求項３】
前記ＦＩＲフィルタの係数を複数組記憶し、その記憶された複数組の中からいずれかの組を選択するフィルタ係数選択手段を備えたことを特徴とする請求項１又は２に記載の弦楽器。
【請求項４】
前記変換器は、前記圧電ピックアップにより変換された電気信号の低域成分が通過する低域通過フィルタと、
前記圧電ピックアップにより変換された電気信号の高域成分が通過する高域通過フィルタとを備え、
前記低域通過フィルタを通過した後、前記ＦＩＲフィルタを通過した楽音信号と、前記高域通過フィルタを通過した楽音信号とを合成して出力する出力手段を備えたことを特徴とする請求項１から３のいずれかに記載の弦楽器。
【請求項５】
前記ＦＩＲフィルタは、前記低域通過フィルタのカットオフ周波数に応じたサンプリング周波数において演算されるものである請求項４に記載の弦楽器。
【請求項６】
入力される楽音信号の低域成分が通過する低域通過フィルタと、
その低域通過フィルタを通過した所定のサンプリング周期のデジタル信号が通過するＦＩＲフィルタと、
前記入力される楽音信号の高域成分が通過する高域通過フィルタと
前記ＦＩＲフィルタを通過した楽音信号と前記高域通過フィルタを通過した楽音信号とを合成して出力する出力手段とを備えたことを特徴とする効果装置。
【請求項７】
前記高域通過フィルタのカットオフ周波数は、前記低域通過フィルタにより遮断された帯域を補うように設定されていることを特徴とする請求項６に記載の効果装置。
【請求項８】
前記ＦＩＲフィルタの係数は、弦楽器の胴のインパルス応答により得られたものである請求項６又は７に記載の効果装置。
【請求項９】
前記ＦＩＲフィルタの係数を複数組記憶し、その記憶された複数組の中からいずれかの組を選択するフィルタ係数選択手段を備えたことを特徴とする請求項６から８のいずれかに記載の効果装置。
【請求項１０】
前記ＦＩＲフィルタは、前記低域通過フィルタのカットオフ周波数に応じたサンプリング周波数において演算されるものである請求項６から９のいずれかに記載の効果装置。
【発明の詳細な説明】
【０００１】
【発明の属する技術分野】
本発明は、弦楽器の弦振動を圧電ピックアップにより電気信号に変換するものに最適な効果を付与する弦楽器および効果装置に関するものである。
【０００２】
【従来の技術】
従来より、アコースティックギターやバイオリン等の弦楽器の弦振動を各種ピックアップにより電気信号として取り出し、この電気信号を増幅したり、各種効果を付加して楽音を形成する装置が知られている。これらの変換器のうち、ピエゾピックアップと呼ばれる圧電素子による変換器は、胴体に付けられるブリッジの振動を電気信号に変換するものであり、弦の振動により発生する音が胴により形成される空間での共鳴の影響を受けにくい。したがって、このピエゾピックアップにより変換された電気信号は、特徴のない薄っぺらで無機質な楽音となる。このことは、そのままでは、楽音としての使用は難しいが、種々の音色の楽音へ加工しやすいという利点がある。特開２００３−１５６４４に開示された発明では、入力信号に、楽器の胴鳴りや部屋の臨場感をシミュレートする残響音生成系列と、楽器の直接音生成系列を並列的に備え、両系列で生成された残響音と直接音を混合出力することによりアコースティックギター等の音をマイクで集音したような自然な音を実現するとしている。
【０００３】
【特許文献１】
特開２００３−１５６４４号公報（図２等）
【０００４】
【発明が解決しようとする課題】
しかしながら、上述した効果装置では弦楽器の弦の振動をある程度自然な音に加工することはできるが、アコースティックギター等の胴による共鳴を忠実に再現することはできないという問題点があった。
【０００５】
本発明は、上述した問題点を解決するためになされたものであり、圧電ピックアップの出力に弦楽器の胴の共鳴を忠実に再現するような効果を付与する弦楽器および効果装置を提供することを目的としている。
【０００６】
【課題を解決するための手段】
この目的を達成するために請求項１記載の弦楽器は、弦楽器の弦振動を電気信号に変換する圧電ピックアップと、その圧電ピックアップにより変換された電気信号を所定のサンプリング周期でサンプリングし、デジタル信号に変換する変換器と、その変換器により変換されたデジタル信号が通過するＦＩＲフィルタとを備えている。
【０００７】
請求項１記載の弦楽器によれば、弦楽器の弦振動を圧電ピックアップにより電気信号に変換し、所定のサンプリング周期でサンプリングしてデジタル信号に変換して、ＦＩＲフィルタにより音色が変更あるいは付与される。
【０００８】
請求項２記載の弦楽器は、請求項１記載の弦楽器において、前記ＦＩＲフィルタの係数は、弦楽器の胴のインパルス応答により得られたものである。
【０００９】
請求項３記載の弦楽器は、請求項１又は２記載の弦楽器において、前記ＦＩＲフィルタの係数を複数組記憶し、その記憶された複数の組の中からいずれかの組を選択するフィルタ係数選択手段を備えている。
【００１０】
請求項３記載の弦楽器によれば、ＦＩＲフィルタの係数を複数組記憶し、その記憶された複数組の中からいずれかの組を選択手段を備えているものであり、種々の弦楽器の胴のインパルス応答より得られる係数を複数組記憶しその中から選択する選択手段を備えるものである。
【００１１】
請求項４記載の弦楽器は、請求項１から３のいずれかに記載の弦楽器において前記変換器は、前記圧電ピックアップにより変換された電気信号の低域成分が通過する低域通過フィルタを備え、その低域通過フィルタを通過した信号を所定のサンプリング周期でサンプリングし、デジタル信号に変換するものであり、
前記圧電ピックアップにより変換された電気信号の高域成分が通過する高域通過フィルタを備え、前記ＦＩＲフィルタを通過した楽音信号と前記高域通過フィルタを通過した楽音信号を合成して出力する出力手段とを備えている。
【００１２】
請求項４記載の弦楽器によれば、圧電ピックアップにより変換された電気信号の低域成分が通過する低域通過フィルタを備え、その低域通過フィルタを通過した信号は、ＦＩＲフィルタにより音色が加工または付与され、高域成分が通過する高域通過フィルタを通過した楽音信号と合成され出力される。
【００１３】
請求項５記載の弦楽器は、低域通過フィルタを通過した後、ＦＩＲフィルタによる演算が行われ、その演算は、低域通過フィルタのカットオフ周波数に応じたサンプリング周波数に基づいて行なわれる。
【００１４】
請求項６記載の効果装置は、入力される楽音信号の低域成分が通過する低域通過フィルタと、その低域通過フィルタを通過した所定のサンプリング周期のデジタル信号が通過するＦＩＲフィルタと、前記入力される楽音信号の高域成分が通過する高域通過フィルタと前記ＦＩＲフィルタを通過した楽音信号と前記高域通過フィルタを通過した楽音信号を合成して出力する出力手段とを備えている。
【００１５】
請求項７記載の効果装置は、請求項６記載の効果装置において、前記高域通過フィルタのカットオフ周波数は前記低域通過フィルタにより遮断された帯域を補うように設定される。
【００１６】
請求項８記載の効果装置は、請求項６又は７に記載の効果装置において、前記ＦＩＲフィルタの係数は、弦楽器の胴のインパルス応答により得られたものである。
【００１７】
請求項９記載の効果装置は、請求項６から８のいずれかに記載の効果装置において、前記ＦＩＲフィルタの係数を複数組記憶し、いずれかの組を選択するフィルタ係数選択手段を備えている。
【００１８】
請求項１０記載の効果装置は、低域通過フィルタを通過した後、ＦＩＲフィルタによる演算が行われ、その演算は、低域通過フィルタのカットオフ周波数に応じたサンプリング周波数に基づいて行なわれる。
【００１９】
【発明の効果】
請求項１に記載の弦楽器によれば、圧電ピックアップにより変換された電気信号にＦＩＲフィルタにより音色が加工または付与されるので、アコースティックギターの胴の周波数特性のように複雑な特性であっても、忠実に胴鳴り等を再現することができるという効果がある。
【００２０】
請求項２に記載の弦楽器によれば、請求項１に記載の弦楽器の奏する効果に加え、ＦＩＲフィルタの係数は、アコースティックギター等の胴のインパルス応答により得られるので、簡単にＦＩＲフィルタの係数を得ることができるという効果がある。
【００２１】
請求項３に記載の弦楽器によれば、請求項１又は２に記載の弦楽器の奏する効果に加え、ＦＩＲフィルタの係数を複数組記憶し、その複数組の中からいずれかの組を選択する手段が備えられているので、演奏者は好みの音色を任意に選択することができるという効果がある。
【００２２】
請求項４に記載の弦楽器によれば、請求項１から３のいずれかに記載の弦楽器の奏する効果に加え、圧電ピックアップにより変換された電気信号の低域成分にＦＩＲフィルタをかけ、ＦＩＲフィルタを通過した信号と、前記電気信号の高域成分とを合成するように構成したので、弦楽器の胴鳴りの特徴的な周波数帯域にＦＩＲフィルタをかけ、弦による楽音の高域成分とを合成することができるので効率よく弦楽器の胴鳴りを模擬することができるという効果がある。
【００２３】
請求項５に記載の弦楽器によれば、請求項４に記載の弦楽器の奏する効果に加え、ＦＩＲフィルタの演算を低域通過フィルタのカットオフ周波数に基づくサンプリング周波数にするので、ＦＩＲフィルタの係数の数を少なくすると共に、演算回数を少なくすることができるという効果がある。
【００２４】
請求項６に記載の効果装置によれば、入力される楽音信号の低域成分にＦＩＲフィルタをかけ、ＦＩＲフィルタを通過した信号と、前記楽音信号の高域成分とを合成するように構成したので、弦楽器の胴鳴りを忠実に実現できると共に、弦信号の高域成分との合成割合により種々の弦楽器を模擬することができるという効果がある。
【００２５】
請求項７に記載の効果装置によれば、請求項６に記載の効果装置の奏する効果に加え、高域通過フィルタのカットオフ周波数は低域通過フィルタにより遮断された帯域を補うように設定されるので、全帯域においてバランスのとれた楽音が得られるという効果がある。
【００２６】
請求項８に記載の効果装置によれば、請求項６又は７に記載の効果装置の奏する効果に加え、前記ＦＩＲフィルタの係数は、弦楽器の胴のインパルス応答により得られるので、簡単にその係数を得ることができるという効果がある。
【００２７】
請求項９に記載の効果装置によれば、請求項６から８のいずれかに記載の効果装置の奏する効果に加え、ＦＩＲフィルタの係数を複数組記憶し、その複数組の中からいずれかの組を選択する手段が備えられているので、演奏者は好みの音色を任意に選択することができるという効果がある。
【００２８】
請求項１０に記載の効果装置によれば、請求項６から９のいずれかに記載の効果装置の奏する効果に加え、ＦＩＲフィルタの演算を低域通過フィルタのカットオフ周波数に基づくサンプリング周波数にするので、ＦＩＲフィルタの係数の数を少なくすると共に、演算回数を少なくすることができるという効果がある。
【００２９】
【発明の実施の形態】
以下、本発明の好ましい実施例について、添付図面を参照して説明する。図１は、本発明の一実施例による弦楽器または効果装置の全体のブロック図である。
【００３０】
弦楽器に張られた複数の弦は、共鳴胴に備えられたブリッジに固定され、そのブリッジ下部には、ピエゾピックアップ１が備えられ、弦の振動をアナログ電気信号に変換する。このアナログ電気信号は、フィルタ２によりプリエンファシスがかけられる。これは、高域成分のＳ／Ｎ比を向上させるために行われものである。Ａ／Ｄ変換器３により所定のサンプリング周波数（例えば４４．１ｋＨｚ）で、量子化され、デジタル信号に変換され、ＤＳＰ（デジタルシグナルプロセッサ）４により各種の信号処理が行われ、Ｄ／Ａ変換器５によりアナログ信号に変換される。
【００３１】
変換されたアナログ信号は、フィルタ６によりディエンファシスがかけられた後、パネルに設けられたバイパススイッチ４１（図３参照）の状態をＣＰＵ１０が検出し、バイパススイッチ４１がオフであればＦＥＴスイッチ２がオンに設定され、出力される。バイパススイッチ４１がオンの場合は、ＦＥＴスイッチ２は、オフに設定され、Ｄ／Ａ変換された信号は出力されない。一方、ピエゾピックアップ１の出力は、バイパススイッチ４１がオンの場合は、ＦＥＴスイッチ１がオンに設定されて、出力され、バイパススイッチ４１がオフの場合はＦＥＴスイッチ１がオフに設定されて、ピエゾピックアップ１の出力は直接出力されない。
【００３２】
ＣＰＵ１０は、マイクロコンピュータであり、ＲＯＭ１３に記憶されるプログラムを実行し、主としてパネルに備えられているボリュームやスイッチなどの操作子を検出し、ＤＳＰ４にパラメータを設定する。各種のデータ等を一時的に記憶するためのメモリであるＲＡＭ１４と、表示器１１とボリュームやスイッチなどにより構成される操作子１２が、ＣＰＵ１０に接続されている。
【００３３】
図２は、ＤＳＰ４が実行する機能のブロック図である。まず、Ａ／Ｄ変換器３から入力したデジタル信号は、デジタルフィルタ２１によりディエンファシスされる。これは、高域成分のＳ／Ｎ比を向上させるためのものである。つぎに、アコースティックモデリング部２２においてアコースティックギターの胴鳴りなどの効果付与が行われるが、この処理が本願発明である。次にイコライザ２３により、周波数特性がユーザの指示に応じて補正され、ノッチフィルタ２４に掛けられる。このノッチフィルタ２４は、ピエゾピックアップ１により入力される楽音がハウリングを起こさないよう、ハウリングを起こす周波数のレベルを下げるためのものである。次にリバーブ２５により残響音が付与され、次に高域成分のＳ／Ｎ比の向上のためデジタルフィルタ２６によりプリエンファシスを行いＤ／Ａ変換器５へ出力される。
【００３４】
つぎに、図３を参照して、本実施例の効果装置のパネル図について説明する。なお、このパネル図は弦楽器とは別の筐体に設けられ、床に置いて足でスイッチを操作することができるように構成されているが、スイッチを小さくするなどして弦楽器の胴に組み込むことも可能である。
【００３５】
レベルツマミ３１は、この効果装置の出力レベルを調整するツマミであり、リバーブツマミ３２は、リバーブ２５により付与される残響音のレベルを調整するものである。ボディタイプ切り替えロータリスイッチ３３（以下ボディタイプツマミ３３という）と、ボディツマミ３４と、ストリングエンハンスツマミ３５は、アコースティックモデリング部２２のパラメータを設定する操作子であり、詳細は後述する。イコライザ部にはベースツマミ３６，ミドルツマミ３７、トレブルツマミ３８が備えられ、イコライザ２３によりそれぞれの帯域であるベースツマミ３６は低域、ミドルツマミ３７は中域、トレブルツマミ３８は高域、のそれぞれのレベルが調整される。
【００３６】
バイパススイッチ４１は、入力している信号に効果を付与するか、付与しないでそのまま出力するかを選択するスイッチで、前述の通りこのスイッチがオンされると効果が付与されない入力信号が出力され、オフされると効果が付与された信号が出力される。
【００３７】
４個のフットスイッチ４０の操作により、パネルのツマミにより設定されているパラメータにより効果が付与されるか、あるいはメモリに記憶されているパッチに設定されているパラメータにより効果が付与されるか、また、複数のパッチの中のいずれのパッチを選ぶことができる。選択されたパッチの名称などが、表示器３９に表示される。これらの詳細については、本発明とは関係がないのでその詳細な説明は省略する。
【００３８】
図４は、アコースティックギターの胴鳴りの周波数特性およびそのインパルス応答の例を示すもので、図４（ａ）は、横軸が周波数Ｈｚを縦軸はレベルをそれぞれ対数表示している。この図から分かるように１００Ｈｚから３００Ｈｚ付近にピークが形成され、３００Ｈｚから３ｋＨｚまでの間は、複雑な周波数特性を示している。図４（ｂ）は、このような、周波数特性を持つ胴のインパルス応答を表したもので、横軸に時間を、縦軸にレベルをそれぞれ表している。このインパルス応答を得る方法は、各種知られており、胴のサウンドホール付近にマイクロフォンを設置し、胴の所定の位置に小さい硬球等を一回だけ衝突させ、それによって発生する音をそのマイクロフォンで収録したものである。インパルス応答は、数十ミリ秒続くが、一般的なアコースティックギターの胴鳴りを再現するには、インパルスの発生から約１０ミリ秒のインパルス応答で十分である。
【００３９】
また、アコースティックギターの胴の特徴的な周波数特性は、１００Ｈｚから３ｋＨｚ付近までの間に存在するので、サンプリング周波数を６．５ｋＨｚとし、インパルスの発生から１０ミリ秒の間の６５個のインパルス応答の振幅値をＦＩＲフィルタの係数とする。係数の数が多ければ高域までの特性を制御することができるが、係数が多いとＤＳＰの演算に負担がかかることになる。
【００４０】
図５は、ＤＳＰで処理されるアコースティックモデリング部２２のブロック図であり、上記のような条件に基づいて構成されている。
【００４１】
入力されるデジタル信号は、４４．１ｋＨｚのサンプリング周波数でサンプリングされたもので、まずカットオフ周波数が約３ｋＨｚのローパスフィルタ５０により、約３ｋＨｚ以下の周波数成分にフィルタされる。これは、ＦＩＲフィルタにおけるサンプリング周波数を６．５ｋＨｚとするため、入力信号の周波数成分をサンプリング周波数の半分以下に制限するためである（デシメーションという）。このローパスフィルタ（低域通過フィルタ）５０は、ＩＩＲフィルタにより構成される。次に、補正用のフィルタ５１を通過させる。このフィルタ５１は、ＦＩＲフィルタ４５による特性を補正したい場合に用いられ、ＦＩＲフィルタの特性に応じてフラットな特性であったり、ローカットの特性を有し、ＩＩＲフィルタにより構成される。
【００４２】
このようにして約３ｋＨｚ以下の帯域に制限されたデジタル信号の振幅値は、順次リングバッファ５２に記憶される。このリングバッファは、１０ミリ秒の時間に対応するサンプル数である４４１個の振幅値を記憶する領域を有し、リングバッファ５２のアドレスを０から４４０までとすると、最初の振幅値はアドレス０に記憶され、次の振幅値はアドレス１というように順次記憶され、４４１個目の振幅値がアドレス４４０に記憶され、次の振幅値は再びアドレス０に上書きされる。このリングバッファ５２への記憶は、サンプリング周期で行われ、つぎにＦＩＲフィルタ４５によりフィルタ演算が行われる。
【００４３】
ＦＩＲフィルタ４５は、このリングバッファ５２と乗算器５３と加算器５４により構成される。まず、リングバッファ５２に記憶される４４１個の振幅値のうちの６５個の振幅値とＦＩＲフィルタ４５の６５個の係数がそれぞれ乗算器５３により乗算される。詳細には、最新のリングバッファ５２に記憶された振幅値のアドレスをｐとすると、ＦＩＲフィルタの第一番目の係数は、このアドレスｐに記憶された振幅値と乗算され、ＦＩＲフィルタのｎ番目の係数は、値（ｎ−１）×４４０÷６４を四捨五入し、ｐからこの値を引いた値（この値が負の場合は４４１を加える）のアドレスに記憶された振幅値と乗算する。こうして得られた６５個の積が加算器５４により順次加算され、ＦＩＲフィルタ４５により周波数特性が変更された振幅値が得られる。
【００４４】
このようにして得られた振幅値は、パネルに設けられたボディツマミ３４により設定される係数が乗算器５５により乗算され、加算器５８へ出力される。また、最新の振幅値は、乗算器６６により、ボディタイプツマミ３３により設定される係数が乗算され、次に乗算器５６によりボディツマミ３４により設定される係数が乗算される。ボディツマミ３４は、右に回すほど胴の共鳴による効果が強調されるよう設定されており、ボディツマミ３４を右に回すと、乗算器５５の係数が増加し、乗算器５６の係数が減少するよう設定されている。このことにより、ＦＩＲフィルタ４５により３ｋＨｚ以下の周波数特性が変更され、元の信号との混合比を変えることにより、胴鳴りの強度を調整することができる。乗算器５５の出力と乗算器５６の出力は、加算器５８で加算され、同じくボディタイプツマミ３３により設定される係数が乗算器６４により乗算され、加算器５９へ出力される。
【００４５】
また、入力されたデジタル信号は、カットオフ周波数を約５ｋＨｚとするハイパスフィルタ（高域通過フィルタ）６０を通過し、乗算器６１によりボディタイプツマミ３３により設定される係数が乗算され、加算器５９に出力される。このことにより、ローパスフィルタ５０を通過した帯域が、ＦＩＲフィルタ４５により胴鳴りが付加され、これに、ローパスフィルタ５０により遮断された帯域が、ハイパスフィルタ６０を通過して加えられる。
【００４６】
なお、ＦＩＲフィルタ４５の係数は、アコースティックギターの種類、メーカ等により種々の特性のものが知られており、これらの複数の特性の係数組を記憶し、図３に示すボディタイプツマミ３３により選択された係数に設定することができる。
【００４７】
また、ハイパスフィルタ６２は、ハイパスフィルタ６０よりカットオフ周波数が高く設定されたものであり、ストリングエンハンスツマミ３５により設定された係数が乗算器６３により乗算されて加算器５９に出力される。これは、ギターなどの弦の高域をより強調する場合に用いられる。加算器５９の出力はローカットフィルタ６５により不要な低域成分が除去されて出力される。
【００４８】
上記実施例では、効果装置として、アコースティックモデリング以外の処理も行われるので、４４．１ｋＨｚでサンプリングが行われ、ＦＩＲフィルタ４５は、ダウンサンプリングされて演算が行われたが、アコースティックモデリングを、６．５ｋＨｚのサンプリング周波数で標本化して実施する第二実施例を次に示す。
【００４９】
図６は、本発明の第二実施例のブロック図であり、これまでの説明と同じ構成には、同じ番号を付している。ピエゾピックアップ１により変換されたアナログ電気信号は、周波数帯域が約３ｋＨｚ以下のアナログローパスフィルタ７０を通過した後、Ａ／Ｄ変換器３によりサンプリング周波数６．５ｋＨｚで量子化される。量子化された振幅値は、ＤＳＰ７１により制御されて６５個の振幅値を記憶するリングバッファに順次記憶され、ＦＩＲフィルタにより６５個の振幅値と６５個の係数とが乗算器により乗算され、加算器により加算される。加算された振幅値は、Ｄ／Ａ変換器５によりアナログ信号に変換され、ローパスフィルタ７２により平滑化され、ボディタイプツマミ３３により設定された係数でアンプ７３により増幅または減衰される。
【００５０】
一方、ピエゾピックアップ１により変換されたアナログ信号は、カットオフ周波数が約５ｋＨｚのハイパスフィルタ７４に通され、ボディタイプツマミ３３により設定された係数でアンプ７５により増幅または減衰される。アンプ７３とアンプ７５の出力は合成されて出力される。
【００５１】
以上、実施例に基づき本発明を説明したが、本発明は上述した実施例に何ら限定されるものではなく、本発明の趣旨を逸脱しない範囲内で種々の改良変更が可能であることは容易に推察できるものである。
【００５２】
例えば、上記第一の実施例では、ＦＩＲフィルタの演算を、元の信号のサンプリング周波数である４４．１ｋＨｚの周期で、サンプリング周波数が６．５ｋＨｚである振幅値について行ったが、６．５ｋＨｚの長い周期でＦＩＲ演算を行い、元の信号のサンプリング周波数に戻す際に、簡易な補間方法を用いてもよい。
【００５３】
【図面の簡単な説明】
【図１】本発明の一実施例である弦楽器および効果装置の電気ブロック図である。
【図２】ＤＳＰの機能ブロック図である。
【図３】効果装置のパネル図である。
【図４】アコースティックギターの胴の周波数特性とインパルス応答の一例を示す図である。
【図５】アコースティックモデリング部の詳細図である。
【図６】第二実施例を表す図である。
【符号の説明】
１                      ピエゾピックアップ
４                      ＤＳＰ
１０                    ＣＰＵ
２２                    アコースティックモデリング部
３３                    ボディタイプツマミ（フィルタ係数選択手段）
４５                    ＦＩＲフィルタ
５０                    ローパスフィルタ
６０                    ハイパスフィルタ
【図１】
2005024997.tif 000003
【図２】
2005024997.tif 000004
【図３】
2005024997.tif 000005
【図４】
2005024997.tif 000006
【図５】
2005024997.tif 000007
【図６】
2005024997.tif 000008